(57)【要約】【課題】暖房運転時、浴室内温度がハンチングすることなく維持でき、入浴者により快適な浴室温度での入浴ができる浴室暖房乾燥機を提供することを目的とする。【解決手段】浴室内から屋外へ換気ができる換気手段１と、浴室内の空気を循環送風させることができる循環手段２と、この循環手段２によって循環する空気を加熱することができる加熱手段３と、浴室内温度を検知することができる浴室内温度検知手段４と、屋外の空気の取り込み量を調節できる外気取込手段５と、各々の手段を制御することができる制御手段６を有する本体と、手元より前記の本体に指令を与えることができる指令手段７を有する構成としたものである。【選択図】　図１
2004093009.tif 000002
【特許請求の範囲】
【請求項１】
浴室内の空気を換気するための換気手段と、浴室内の空気を循環送風させるための循環手段と、この循環手段によって循環される空気を加熱する加熱手段と、浴室内温度を検知することができる浴室内温度検知手段と、屋外から取り込んだ空気の取り込み量を調節することができる外気取込手段と、前記各々の手段を制御する制御手段を有する本体と、手元より前記本体に運転を指令する指令手段を有して、屋外の空気を取り込むことで浴室内温度を調節することを特徴とする浴室暖房乾燥機。
【請求項２】
屋外の温度を検知することができる屋外温度検知手段を備えた請求項１記載の浴室暖房乾燥機。
【請求項３】
屋外の空気を強制的に機器に取り込ませることができる強制外気吸込手段を備えた請求項２記載の浴室暖房乾燥機。
【発明の詳細な説明】
【０００１】
【発明の属する技術分野】
本発明は、浴室を換気・暖房・乾燥することができる浴室暖房乾燥機の暖房運転制御方法に関する。
【０００２】
【従来の技術】
従来の浴室暖房乾燥機について、図４を用いて説明する。
【０００３】
従来の浴室暖房乾燥機は浴室内から屋外へ換気ができる換気手段１０１と、浴室内の空気を循環送風させることができる循環手段１０２と、この循環手段１０２によって循環する空気を加熱することができる加熱手段１０３と、浴室内温度を検知することができる浴室内温度検知手段１０４と、各々の手段を制御することができる制御手段１０５を有する本体と、手元より前記本体に指令を与えることができる指令手段１０６を有する構成となっていた。
【０００４】
つぎに、従来の浴室暖房乾燥機の暖房運転制御を説明する。
【０００５】
従来の浴室暖房乾燥機は、浴室温度検知手段１０４により監視している浴室内温度が目標温度に到達すると循環手段１０２の循環風量を低下させたり、あるいは循環手段１０２を停止させたり、あるいは加熱手段１０３を停止させたりし、目標温度より浴室内温度が低下すると循環手段１０２の循環風量を上昇させたり、あるいは循環手段１０２を運転させたり、あるいは加熱手段１０３を運転させたりして、浴室内温度が目標温度を維持できるようにしていた。
【０００６】
【発明が解決しようとする課題】
このような従来の浴室暖房乾燥機の暖房運転制御では循環手段１０２と加熱手段１０３を運転したり、停止したりするために、目標温度を維持することが困難であり、浴室内温度がオーバーシュートしたり、浴室内温度がハンチングしたりする課題があった。
【０００７】
本発明は、このような従来の課題を解決するものであり、入浴者により快適な浴室内温度での入浴ができる浴室暖房乾燥機を提供することを目的としている。
【０００８】
【課題を解決するための手段】
上記課題を解決するために、本発明の浴室暖房乾燥機は、浴室内の空気を換気するための換気手段と、浴室内の空気を循環送風させるための循環手段と、この循環手段によって循環される空気を加熱する加熱手段と、浴室内温度を検知することができる浴室内温度検知手段と、屋外から取り込んだ空気の取り込み量を調節することができる外気取込手段と、前記各々の手段を制御する制御手段を有する本体と、手元より前記本体に運転を指令する指令手段を有して、屋外の空気を取り込むことで浴室内温度を調節する構成としたものである。
【０００９】
また、本発明の浴室暖房乾燥機は、上記構成に加え、屋外の温度を検知することができる屋外温度検知手段を備えた構成としたものである。
【００１０】
また、本発明の浴室暖房乾燥機は、上記構成に加え、屋外の空気を強制的に機器に取り込ませることができる強制外気吸込手段を備えた構成としたものである。
【００１１】
【発明の実施の形態】
本発明の請求項１に記載の発明は、屋外の空気の取り込み量を調節できる外気取込手段により、屋外の空気と浴室内の空気を浴室暖房乾燥機内で混ぜ合わせることにより、浴室暖房乾燥機からの吹き出す空気の温度を調節することができるという作用を有する。
【００１２】
また、請求項２に記載の発明は、特に請求項１に記載の浴室暖房乾燥機に屋外温度検知手段を設けることにより、浴室内の温度と屋外の温度を検知・比較し、屋外の空気を取りこむ量を判別・決定するとともに、外気取込手段を制御手段により適切な量の外気を取りこむように制御し、屋外の空気と浴室内の空気を浴室暖房乾燥機内で混ぜ合わせることで、浴室暖房乾燥機からの吹出す空気の温度を調節することができるという作用を有する。
【００１３】
また、請求項３に記載の発明は、特に請求項２に記載の浴室暖房乾燥機に屋外の空気を強制的に機器に取り込ませることができる強制外気吸込手段を設けることにより、機外静圧の低い設置条件においても浴室暖房乾燥機内に適切量の外気を取り込ませることができ、屋外の空気と浴室内の空気を浴室暖房乾燥機内で混ぜ合わせることで、浴室暖房乾燥機からの吹き出す空気の温度を調節することができるという作用を有する。
【００１４】
以下、本発明の実施例について、図１から図３を用いて説明する。
【００１５】
【実施例】
（実施例１）
以下、本発明の実施例１について図１を参照しながら説明する。
【００１６】
図１に示すように、浴室内から屋外へ換気ができる換気手段１と、浴室内の空気を循環送風させることができる循環手段２と、この循環手段２によって循環する空気を加熱することができる加熱手段３と、浴室内温度を検知することができる浴室内温度検知手段４と、屋外の空気の取り込み量を調節できる外気取込手段５と、各々の手段を制御することができる制御手段６を有する本体と、手元より前記の本体に指令を与えることができる指令手段７を有する構成とする。
【００１７】
上記構成により、指令手段７から目標温度になるように暖房運転の指令を与えると、本体は制御手段６からの指令により循環手段２を運転させ、吸込み空間から吹出し空間への風の流れを起こすことにより、圧力の下がった吸込み空間へ浴室空間から風が流れ込み、また、圧力の上がった吹出し空間から浴室空間へ風が流れ出すことにより、浴室空間の空気が循環する。また、同時に加熱手段３を運転させ、その循環している空気を加熱手段３にて暖めることにより、浴室内に温風を供給する。
【００１８】
浴室内の温度を浴室内温度検知手段４により監視し、浴室内の温度が目標温度に近づくと制御手段６により外気取込手段５に指令を与え、外気取込手段５、例えば開度が調節できるダンパーを開けることにより、循環手段２の運転により圧力が下がった吸込み空間へ屋外空間からの空気が吸込まれ、屋外の空気と浴室内の空気を吸込み空間にて混ぜ合わせ、浴室暖房乾燥機からの吹き出す空気の温度を調節する。
【００１９】
浴室内の温度は常に浴室内温度検知手段４により監視し、浴室内の温度が目標温度より上昇する時は外気取込手段５、例えば開度の調節ができるダンパーの開度を大きくすることにより屋外の空気の取り込み量を増加させる。また、浴室内の温度が目標温度より低下する時は外気取込手段５、例えば開度の調節ができる段ダンパーの開度を小さくすることにより屋外の空気の取り込み量を減少させることにより、浴室内温度がオーバーシュートしたり、浴室内温度がハンチングしたりすることなく目標温度を維持することができる。
【００２０】
（実施例２）
以下、本発明の実施例２について図２を参照しながら説明する。
【００２１】
図２に示すように、浴室内から屋外へ換気ができる換気手段１と、浴室内の空気を循環送風させることができる循環手段２と、その循環手段２によって循環する空気を加熱することができる加熱手段３と、浴室内温度を検知することができる浴室内温度検知手段４と、屋外の空気の取り込み量を調節できる外気取込手段５と、屋外の温度を検知することができる屋外温度検知手段８と、各々の手段を制御することができる制御手段６を有する本体と、手元より前記の本体に指令を与えることができる指令手段７を有する構成とする。
【００２２】
上記構成により、指令手段７から目標温度になるよう暖房運転の指令を与えると、本体は制御手段５からの制御により循環手段２と加熱手段３を運転させ、浴室内に温風を供給する。
【００２３】
浴室内の温度と屋外の温度を浴室内温度検知手段４と屋外温度検知手段８により監視し、浴室内の温度が目標温度に近づくと浴室内の温度と屋外の温度を比較し、温度差が大きい時は外気取込手段５、例えば開度が調節できるダンパーを小さく開けることにより外気取り込み量の増加を小さくし、温度差が小さい時は外気取り込手段５、例えば開度が調節できるダンパーを大きく開くことにより外気取り込み量の増加を大きくして、より適切な量の屋外の空気を浴室内の空気と吸込み空間にて混ぜ合わせ、浴室暖房乾燥機からの吹出す空気の温度を調節する。
【００２４】
浴室内の温度は常に浴室内温度検知手段４により監視し、浴室内の温度が目標温度より上昇する時は外気取込手段５、例えば開度の調節できるダンパーを開くことにより屋外の空気の取り込み量を増加させる。その時、浴室内の温度と屋外の温度を比較し、温度差が大きい時は外気取込手段５、例えば開度が調節できるダンパーを小さく開けることにより外気取り込み量の増加を小さくし、温度差が小さい時は外気取込手段５、例えば開度が調節できるダンパーを大きく開くことにより外気取り込み量の増加を大きくして、より適切な量の屋外の空気を吸込み空間に取り込む。また、浴室内の温度が目標温度より低下する時は外気取込手段５、例えば開度が調節できるダンパーの開度を小さくすることにより屋外の空気の取り込み量を減少させ、目標温度を維持する。
【００２５】
浴室内温度検知手段４と屋外温度検知手段８により、浴室内の温度と屋外の温度を比較し外気取り込み量を調節することにより、浴室内温度がオーバーシュートしたり、浴室内温度がハンチングしたりすることなく、また、浴室内の温度が急激に低下することなく浴室内の温度をより早く目標温度に到達・維持させることができる。
【００２６】
（実施例３）
以下、本発明の実施例３について図３を参照しながら説明する。
【００２７】
図３に示すように、浴室内から屋外へ換気ができる換気手段１と、浴室内の空気を循環送風させることができる循環手段２と、この循環手段２によって循環する空気を加熱することができる加熱手段３と、浴室内温度を検知することができる浴室内温度検知手段４と、屋外の空気の取り込み量を調節できる外気取込手段５と、屋外の温度を検知することができる屋外温度検知手段８と、屋外の空気を強制的に機器に取り込ませることができる強制外気吸込手段９と、各々の手段を制御することができる制御手段６を有する本体と、手元より前記の本体に指令を与えることができる指令手段７を有する構成とする。
【００２８】
上記構成により、指令手段７から目標温度になるよう暖房運転の指令を与えると、本体は制御手段５からの制御により循環手段２と加熱手段３を運転させ、浴室内に温風を供給する。
【００２９】
浴室内の温度と屋外の温度を浴室内温度検知手段４と屋外温度検知手段８により監視し、浴室内の温度が目標温度に近づくと浴室内の温度と屋外の温度を比較し、温度差が大きい時は外気取込手段５、例えば開度が調節できるダンパーと強制外気取込手段９、例えば屋外空間から吸込み空間への空気の流れを起こすためのファンモーターを調節し、例えばダンパー開度小さく開き、ファンモーターの風量を小さくなるように運転させて外気取り込み量の増加を小さくする。また、温度差が小さい時は外気取り込手段５、例えば開度が調節できるダンパーと強制外気取込手段９、例えば屋外空間から吸込み空間への空気の流れを起こすためのファンモーターを調節し、例えばダンパー開度を大きく開き、ファンモーターの風量を大きく運転させて外気取り込み量の増加を大きくし、適切な量の屋外の空気を浴室内の空気と吸込み空間にて混ぜ合わせ、浴室暖房乾燥機からの吹き出す空気の温度を調節する。
【００３０】
浴室内の温度は常に浴室内温度検知手段４により監視し、浴室内の温度が目標温度より上昇する時は外気取込手段５と強制外気取込手段９により屋外の空気の取り込み量を増加させる。その時、浴室内の温度と屋外の温度を比較し、温度差が大きい時は外気取込手段５、例えば開度が調節できるダンパーと強制外気取込手段９、例えば屋外空間から吸込み空間への空気の流れを起こすためのファンモーターを調節し、例えばダンパー開度を小さく開き、ファンモーターの風量を小さくさせて外気取り込み量の増加を小さくする。また、温度差が小さい時は外気取込手段５、例えば開度が調節できるダンパーと強制外気取込手段９、例えば屋外空間から吸込み空間への空気の流れを起こすためのファンモーターを調節し、例えばダンパー開度を大きく開き、ファンモーターの風量を大きくさせて外気取り込み量の増加を大きくして、より適切な量の屋外の空気を吸込み空間に取り込む。また、浴室内の温度が目標温度より低下する時は外気取込手段５、例えば開度が調節できるダンパーと強制外気取込手段９、例えば屋外空間から吸込み空間への空気の流れを起こすためのファンモーターを調節し、例えばダンパーの開度を小さくし、ファンモーターの風量を小さくさせ、屋外の空気の取り込み量を減少させることにより、目標温度を維持する。
【００３１】
浴室内温度検知手段４と屋外温度検知手段８により、浴室内の温度と屋外の温度を比較し外気取り込み量を制御することにより、浴室内温度がオーバーシュートしたり、浴室内温度がハンチングしたりすることなく、また、浴室内の温度が急激に低下することなく浴室内の温度をより早く目標温度に到達・維持させることができる。
【００３２】
また、強制外気取込手段９を有することで機外静圧の低い設置条件においても浴室暖房乾燥機内に外気を取り込ませることができる。
【００３３】
【発明の効果】
以上のように本発明によれば、外気取込手段を有することにより、浴室内温度がオーバーシュートしたり、浴室内温度がハンチングしたりすることなく、浴室内温度を目標温度に維持することができ、入浴者により快適な浴室内温度での入浴ができる浴室暖房乾燥機を提供できる。
【００３４】
また、外気取込手段と屋外温度検知手段を有することにより、浴室内温度と屋外温度を比較し、外気取り込み量を制御することができ、浴室内温度がオーバーシュートしたり、浴室内温度がハンチングしたりすることなく、また、浴室内温度が急激に低下することなく、浴室内温度を目標温度に早く標温度に到達・維持することができ、入浴者により快適な浴室内温度での入浴ができる浴室暖房乾燥機を提供できる。
【００３５】
また、外気取込手段と屋外温度検知手段と強制外気取込手段を有することにより、機外静圧が低い設置条件においても浴室内に外気を取り込むことができ、浴室内温度がオーバーシュートしたり、浴室内温度がハンチングしたりすることなく、また、浴室内温度が急激に低下することなく、浴室内温度を目標温度に早く目標温度に到達・維持することができ、入浴者により快適な浴室内温度での入浴ができる浴室暖房乾燥機を提供できる。
【図面の簡単な説明】
【図１】本発明の実施例１の浴室換気乾燥機を示す概略断面図
【図２】本発明の実施例２の浴室換気乾燥機を示す概略断面図
【図３】本発明の実施例３の浴室換気乾燥機を示す概略断面図
【図４】従来の浴室暖房乾燥機の概略断面図
【符号の説明】
１　　換気手段
２　　循環手段
３　　加熱手段
４　　浴室内温度検知手段
５　　外気取込手段
６　　制御手段
７　　指令手段
８　　屋外温度検知手段
９　　強制外気取込手段
【図１】
2004093009.tif 000003
【図２】
2004093009.tif 000004
【図３】
2004093009.tif 000005
【図４】
2004093009.tif 000006